(57)【要約】      （修正有）【課題】一般電球の発光状態に近づけることができる、広域式発光ダイオード電球を提供する。【解決手段】放熱ハウジング１１と、照明モジュール１２と、ランプシェード１３と、電気接続部と、を備える。ベース１１１は放熱ハウジングの一端から外部へ突き出して、延在されている。照明モジュールは電気回路板１２１と、複数の第１発光ダイオード１２２と、複数の第２発光ダイオード１２３と、を有する。第１発光ダイオード１２２は間隔を置いて、電気回路板１２１の実装面に設けられている。第２発光ダイオード１２３は間隔を置いて、電気回路板１２１の縁部に設けられている。ランプシェードは放熱ハウジングの一側に被せて設けられている。電気接続部は放熱ハウジング１１のもう一側に設けられ、電気回路板１２１に電気接続されている。第１発光ダイオード１２２より正面方向の照明を提供し、第２発光ダイオード１２３より側面方向と背面方向の照明を提供する。【選択図】図１
0003176524.tif 000002
【実用新案登録請求の範囲】
【請求項１】
放熱ハウジングと、照明モジュールと、ランプシェードと、電気接続部と、を備える、広域式発光ダイオード電球であって、
前記放熱ハウジングは、
前記放熱ハウジング一端の表面より外部に突き出して延在する、ベースと、
前記放熱ハウジング側壁の表面に形成する、複数の肋材と、を有する、
前記照明モジュールは、
前記ベースの一側に設けられ、実装面と、前記実装面脇に形成する縁部と、を有する、電気回路板と、
間隔を置いて、前記回路基板の前記実装面に取り付ける、複数の第1発光ダイオードと、
間隔を置いて、前記電気回路板の縁部に取り付ける、複数の第２発光ダイオードと、
前記ランプシェードは前記放熱ハウジングの一側に被せて設ける、
前記電気接続部は前記放熱ハウジングの他側に設けられ、前記電気回路板に電気接続する、
広域式発光ダイオード電球。
【請求項２】
前記第２発光ダイオードの側面照射及び背面照射の角度Βは、前記ベースの水平面より起算して約０度から６０であることを特徴とする、請求項１記載の広域式発光ダイオード電球。
【請求項３】
前記第１発光ダイオードの正面照射角度αは、前記ベースの水平面より起算して約０度から１２０であることを特徴とする、請求項１記載の広域式発光ダイオード電球。
【請求項４】
前記肋材は前記ハウジング側壁表面の一端からもう一端に向かって収束状に延在することを特徴とする、請求項１記載の広域式発光ダイオード電球。
【請求項５】
前記放熱ハウジングはさらに複数の突起部を設けられ、前記突起部は前記放熱ハウジングにて前記ベースを設けられた端面の縁部より突き出して延在することを特徴とする、請求項１記載の広域式発光ダイオード電球。
【考案の詳細な説明】
【技術分野】
【０００１】
本考案は照明電球に関し、特に広域式発光ダイオード電球に関する。
【背景技術】
【０００２】
発光ダイオードは低エネルギー消費、省エネルギー、長寿命、長持ち、耐震性、体積小さい、反応が速いなどの長所を有する。街道の信号灯、懐中電灯または装飾灯などは、すでに発光ダイオードによる発光に切り替えられており、尾灯及びブレーキ灯など車用の灯具も発光ダイオードモジュールを大量に採用されている。
【考案の概要】
【考案が解決しようとする課題】
【０００３】
しかしながら、発光ダイオードは点状光源の発光である。現在良く見かける発光ダイオード電球の照射角度は狭く、複数の発光ダイオードを使用した集光設計には、照度不均衡の問題がある。
【０００４】
一例として、発光ダイオードの光路設計において、その照射角度は約１８０度しかないほか、ほとんどの発光ダイオード灯具は、放熱フィンなどの放熱装置が取り付けていることから、ほとんどの光線は前方または側方向区域の照射に限られている。一例として、この種の発光ダイオード電球を天井に取り付けられた場合、投射する光線はその下方区域に限られる。さらに、電球の上方区域に一部の拡散と乱反射を引き起こして、使用者に暗い感覚を与える。
【０００５】
このような照度不足の感覚を解消するため、よく見られる手段として、ハイパワーの発光ダイオードを使用して輝度を増やしている。しかし、この種のやり方は電球の消費電力が増加することになり、放熱装置を厳しい試練にさらされている。一方、効果が良く価格がより高い放熱装置をもって、余分な熱エネルギーを放出させる手段には、製造コストのアップは避けられない。また、製造コストに配慮して、一般の放熱装置を使用すると、発光ダイオードは高熱により、実際の使用寿命が短縮される。
【課題を解決するための手段】
【０００６】
本考案の主な目的は、側面方向さらに背面方向の照明角度を有し、より良い照明効果を提供できる、広域式発光ダイオード電球を提供する。
【０００７】
前記目的を達成するため、本考案の広域式発光ダイオード電球は放熱ハウジングと、照明モジュールと、ランプシェードと、電気接続部と、を備える。放熱ハウジングは、ベースと、複数の肋材と、を有する。ベースは放熱ハウジングの一端から外部へ突き出して、延在されている。肋材は、放熱ハウジング側壁の表面に形成されている。照明モジュールは電気回路板と、複数の第１発光ダイオードと、複数の第２発光ダイオードと、を有する。電気回路板はベースの一側に設けられ、実装面と、実装面脇に形成する縁部と、を有する。第１発光ダイオードは間隔を置いて、電気回路板の実装面に設けられている。第２発光ダイオードは間隔を置いて、電気回路板の縁部に設けられている。ランプシェードは放熱ハウジングの一側に被せて設けられている。電気接続部は放熱ハウジングのもう一側に設けられ、電気接続部は電気回路板に電気接続されている。
【０００８】
そのうち、発光ダイオード側面方向の照射と背面方向の照射角度Βは、ベースの水平面より起算して、約０度から６０度である。
【０００９】
そのうち、第１発光ダイオード正面方向の照射角度αは、ベースの水平面より起算して、約０度から１２０度である。
【００１０】
そのうち、肋材は放熱ハウジング側壁表面のもう一端から収束状に延在されている。
【００１１】
そのうち、放熱ハウジングはさらに複数の突起部を有し、突起部は放熱ハウジングを設けられたベース端面の縁部にて、間隔置きに突き出して延在するように設けられている。
そのうち、ランプシェードがもっとも幅広い場所の横断面に直径Ｌ1を有し、放熱ハウジングは円錐体を形成して、ベースを設ける端部からもう一端にかけて収束状に延在されている。さらに、ベースを設ける端部は直径Ｌ2を有する。Ｌ1とＬ2は１／３Ｌ1＞Ｌ2の関係式に満足している。
【図面の簡単な説明】
【００１２】
【図１】本考案の広域式発光ダイオード電球の好ましい実施例の態様図である。
【図２】本考案の広域式発光ダイオード電球の好ましい実施例の電気回路板における上面図である。
【図３】本考案の広域式発光ダイオード電球の好ましい実施例の組立図である。
【図４】本考案の広域式発光ダイオード電球の好ましい実施例の光路態様図である。
【図５】本考案の広域式発光ダイオード電球の好ましい実施例の平面図である。
【図６】本考案の広域式発光ダイオード電球の好ましい実施例における照射効果の態様図である。
【図７】本考案の広域式発光ダイオード電球の実施例２の分解図である。
【図８】本考案の広域式発光ダイオード電球の実施例２における電気回路板背面の態様図である。
【図９】本考案の広域式発光ダイオード電球の実施例２の光路態様図である。
【考案を実施するための形態】
【００１３】
本考案の内容のさらなる理解を図るため、下記の説明に図式を組み合わせ、参考に供する。
【実施例】
【００１４】
図１ないし図５、本考案の広域式発光ダイオード電球の実施例１における分解図、組立図、光路態様図、平面図と、照射効果態様図を参照する。図において、広域式発光ダイオード電球１は放熱ハウジング１１と、照明モジュール１２と、ランプシェード１３と、電気接続部１４と、を備える。
【００１５】
そのうち、放熱ハウジング１１は例えば、放熱性のセラミックからなり、円錐体を形成しても良い。放熱ハウジング１１はベース１１１と、複数の肋材１１２と、複数の突起部１１３と、を設けられている。ただし、放熱ハウジング１１は放熱性セラミックに限らず、金属その他伝熱部材で作ることもできる。
【００１６】
ベース１１１は放熱ハウジング１１の一端から、外部へ突き出して延在されている。
【００１７】
肋材１１２は放熱ハウジング１１側壁の表面に形成していて、かつ肋材１１２はベース１１１を設ける端面から、もう一端に向かって収束状に延在されている。そのうち、ベース１１１を設ける端面の直径をＬ２とする。肋材１１２は伝熱を提供し、熱エネルギーは肋材１１２によって対流し大気に放出する。
【００１８】
突起部１１３は放熱ハウジング１１にて、ベース１１１を設ける端面の縁部より、間隔置きに波状を形成し、突き出して延在する。
【００１９】
照明モジュール１２は電気回路板１２１と、複数の第１発光ダイオード１２２と、複数の第２発光ダイオード１２３と、を有する。
【００２０】
電気回路板は１２１ベース１１１の一側に設けられ、実装面１２１１と、実装面１２１１脇に形成する縁部１２１２と、を有する。
【００２１】
第１発光ダイオード１２２は例えば、表面実装技術（Ｓｕｒｆａｃｅ  ｍｏｕｎｔ  ｔｅｃｈｎｏｌｏｇｙ，  ＳＭＴ）によって、間隔置きに電気回路板１２１の実装面１２１１に実装するなど、広域式発光ダイオード電球１に正方向の照射角度を提供できる。
【００２２】
第２発光ダイオード１２３は例えば、表面実装技術（Ｓｕｒｆａｃｅ  ｍｏｕｎｔ  ｔｅｃｈｎｏｌｏｇｙ，  ＳＭＴ）によって、間隔置きに電気回路板１２１の実装面１２１１の縁部１２１２に実装するなど、第１発光ダイオード１２２をその中に囲むこともできる。第２発光ダイオード１２３によって、広域式発光ダイオード電球１に、側面照射角度及び背面照射角度が提供される。
【００２３】
ランプシェード１３は例えば、透光性ガラスまたはプラスチックを使用し、放熱ハウジング１１の一側に覆い被せるように設けても良い。そのうち、ランプシェード１３のもっとも幅広い場所の横断面の直径をＬ1とする。
【００２４】
電気接続部１４は放熱ハウジング１１のもう一側に設けていて、かつ電気回路板１２１に電気接続されている。電気接続部１４はホルダー２への挿入に提供し、電気回路板１２１に電気を導通することによって、電気を第１発光ダイオード１２２及び第２発光ダイオード１２３に供給することができる。
【００２５】
広域式発光ダイオード電球１を適用するときは、第１発光ダイオード１２２を電気回路板１２１の実装面１２１１に実装し、第２発光ダイオード１２３を電気回路板１２１の縁部に実装する。ベース１１１は放熱ハウジング１１の一端より外部に突き出して延在するは、背面照射光源の遮蔽を軽減できる。これにより、第１発光ダイオード１２２の発生する光源は正面照射の効果を提供し、第２発光ダイオード１２３の発生する光源は側面照射及び背面照射の効果を提供することによって、光源をより均一に照明場所に分布させる。
【００２６】
一好ましい実施例において、第１発光ダイオード１２２の正面照射の角度αは、ベース１１１の水平面より起算して、約０度から１２０であり、第２発光ダイオード１２３の側面照射及び背面照射の角度Βは、ベース１１１の水平面より起算して、約０度から６０である。このほか、Ｌ1とＬ2は１／３Ｌ1＞Ｌ2の（数式１）関係式を満足できる。これにより、正面照射、側面照射及び背面照射の照明角度を同時に提供して、広域投射角度の電球設計を実現し、公知技術の電球の照射が届かない部位をより均一に照射し、より均一な発光効果をもって、使用者により快適、かつより自然な照明効果を提供できる。
【００２７】
図６ないし図８、本考案の広域式発光ダイオード電球の実施例２における分解図と、電気回路板の背面態様図と、光路態様図と、を参照する。図において、広域式発光ダイオード電球３は放熱ハウジング３１と、３２と、ランプシェード３３と、電気接続部３４と、を備える。照明モジュール３２は電気回路板３２１と、複数の第１発光ダイオード３２２と、複数の第２発光ダイオード３２３と、を有する。
【００２８】
本実施例において、放熱ハウジング３２、ランプシェード２３及び電気接続部３４の構造ならび形状は実施例１に同様のため、ここでの説明を省略する。本実施例と実施例１と異なる点は、第２発光ダイオード３２３は表面実装技術（Ｓｕｒｆａｃｅ  ｍｏｕｎｔ  ｔｅｃｈｎｏｌｏｇｙ，  ＳＭＴ）によって、電気回路板３２１の背面に設けることによって、背面照射効果を直接に提供し、製造コストを軽減する。
【００２９】
以上説明とおり、本考案の広域式発光ダイオード電球は、従来の電球が正面方向の照射角度に限られ、正面照射角度しか提供できないものに比べて、本考案を適用すれば、さらに側面照射及び背面照射角度を提供でき、照射の範囲を増大し、全体の発光効果をより良く、均一化することができる。
【符号の説明】
【００３０】
１：広域式発光ダイオード電球
１１：放熱ハウジング
１１１：ベース
１１２：肋材
１１３：突起部
１２：照明モジュール
１２１：電気回路板
１２１１：実装面
１２１２：縁部
１２２：第１発光ダイオード
１２３：第２発光ダイオード
１３：ランプシェード
１４：電気接続部
２：ホルダー
３：広域式発光ダイオード電球
３１：放熱ハウジング
３２：照明モジュール
３２１：電気回路板
３２２：第１発光ダイオード
３２３：第２発光ダイオード
３３：ランプシェード
３４：電気接続部
【図１】
0003176524.tif 000003
【図２】
0003176524.tif 000004
【図３】
0003176524.tif 000005
【図４】
0003176524.tif 000006
【図５】
0003176524.tif 000007
【図６】
0003176524.tif 000008
【図７】
0003176524.tif 000009
【図８】
0003176524.tif 000010
【図９】
0003176524.tif 000011